(57)【特許請求の範囲】
【請求項１】
水が流れる底面およびこの底面の幅方向の両端部からそれぞれ起立する２つの側壁を有して前記底面の上方が開放された三面水路において、
前記底面および前記２つの側壁のうちの少なくとも１つの表面に前記三面水路の長手方向に沿って連続的または断続的に光輝部が形成されており、
前記三面水路が、予め断面形状がＵ字状またはＬ字状に形成された複数のフリュームを縦列に連結して構成されており、
前記光輝部は、
蓄光材、蛍光材および反射材のうちの少なくとも１つで構成されているとともに、互いに隣接する２つの前記フリューム間の連結部分に形成されていることを特徴とする三面水路。
【請求項２】
水が流れる底面およびこの底面の幅方向の両端部からそれぞれ起立する２つの側壁を有して前記底面の上方が開放された三面水路において、
前記底面および前記２つの側壁のうちの少なくとも１つの表面に前記三面水路の長手方向に沿って連続的または断続的に光輝部が形成されており、
前記底面および前記２つの側壁は、コンクリートで構成されており、
前記光輝部は、
蓄光材、蛍光材および反射材のうちの少なくとも１つで構成されているとともに、前記コンクリートにおけるＰコン穴に形成されていることを特徴とする三面水路。
【請求項３】
水が流れる底面およびこの底面の幅方向の両端部からそれぞれ起立する２つの側壁を有して前記底面の上方が開放された三面水路において、
前記底面および前記２つの側壁のうちの少なくとも１つの表面に前記三面水路の長手方向に沿って連続的または断続的に光輝部が形成されており、
前記光輝部は、
蓄光材、蛍光材および反射材のうちの少なくとも１つを含んだシーリング材であることを特徴とする三面水路。
【請求項４】
請求項１ないし請求項３のうちのいずれか１つに記載した三面水路において、
前記光輝部は、
前記２つの側壁のうちの少なくとも一方の側壁に水面を跨るように上下方向に延びて形成されていることを特徴とする三面水路。
【請求項５】
請求項１ないし請求項４のうちのいずれか１つに記載した三面水路において、
前記光輝部は、
前記三面水路内における水中となる部分に形成されていることを特徴とする三面水路。
【請求項６】
請求項１ないし請求項５のうちのいずれか１つに記載した三面水路において、
前記光輝部は、
前記表面に対して凹状に窪んで形成されていることを特徴とする三面水路。
【請求項７】
請求項１ないし請求項６のうちのいずれか１つに記載した三面水路において、
前記光輝部は、
前記２つの側壁のうちの少なくとも一方の側壁における水面より上方部分が同側壁と面一または同側壁よりも突出して形成されるとともに前記水面よりも下方部分が同側壁と面一または凹状に窪んで形成されていることを特徴とする三面水路。
【請求項８】
予め断面形状がＵ字状またはＬ字状に形成された複数のフリュームを縦列に連結することで断面形状がＵ字状に形成された三面水路の形成方法であって、
互いに隣接する２つの前記フリューム間の連結部分に蓄光材、蛍光材および反射材のうちの少なくとも１つを含んだシーリング材を詰める工程を含むことを特徴とする三面水路の形成方法。
【請求項９】
予め断面形状がＵ字状またはＬ字状に形成された複数のフリュームを縦列に連結することで断面形状がＵ字状に形成された三面水路の補修方法であって、
互いに隣接する２つの前記フリューム間の連結部分に形成された目地材を除去する工程と、
前記除去された前記連結部分に蓄光材、蛍光材および反射材のうちの少なくとも１つを含んだシーリング材を詰める工程とを含むことを特徴とする三面水路の補修方法。
【発明の詳細な説明】
【技術分野】
【０００１】
本発明は、水が流れる底面およびこの底面の幅方向の両端部からそれぞれ起立する２つの側壁を有して前記底面の上方が開放された三面水路に関する。
【背景技術】
【０００２】
従来から、農業用、工業用または上水用の水を供給する用水路または排水のための側溝などの三面水路には、転落防止のために柵が設けられていることがある。例えば、下記特許文献１には、側溝の開口部分の全体をアーチ状に覆う金網状または格子状の側溝用被覆材が開示されている。
【先行技術文献】
【特許文献】
【０００３】
【特許文献１】特開２０１６−２０４８７３号公報
【０００４】
しかしながら、上記特許文献１に記載された側溝用被覆材においては、設置に多額の費用が掛かり多くの三面水路に設置することが現実的でないという問題がある。
【０００５】
本発明は上記問題に対処するためなされたもので、その目的は、多くの三面水路に経済的に設置することができ特に夜間における転落防止効果を有した三面水路を提供することにある。
【発明の概要】
【０００６】
上記目的を達成するため、本発明の特徴は、水が流れる底面およびこの底面の幅方向の両端部からそれぞれ起立する２つの側壁を有して底面の上方が開放された三面水路において、底面および２つの側壁のうちの少なくとも１つの表面に三面水路の長手方向に沿って連続的または断続的に光輝部が形成されており、三面水路が、予め断面形状がＵ字状またはＬ字状に形成された複数のフリュームを縦列に連結して構成されており、光輝部は、蓄光材、蛍光材および反射材のうちの少なくとも１つで構成されているとともに、互いに隣接する２つのフリューム間の連結部分に形成されていることにある。
【０００７】
上記目的を達成するため、本発明の特徴は、水が流れる底面およびこの底面の幅方向の両端部からそれぞれ起立する２つの側壁を有して底面の上方が開放された三面水路において、底面および２つの側壁のうちの少なくとも１つの表面に三面水路の長手方向に沿って連続的または断続的に光輝部が形成されており、底面および２つの側壁は、コンクリートで構成されており、光輝部は、蓄光材、蛍光材および反射材のうちの少なくとも１つで構成されているとともに、コンクリートにおけるＰコン穴に形成されていることにある。
【０００８】
上記目的を達成するため、本発明の特徴は、水が流れる底面およびこの底面の幅方向の両端部からそれぞれ起立する２つの側壁を有して底面の上方が開放された三面水路において、底面および２つの側壁のうちの少なくとも１つの表面に三面水路の長手方向に沿って連続的または断続的に光輝部が形成されており、光輝部は、蓄光材、蛍光材および反射材のうちの少なくとも１つを含んだシーリング材であることにある。
【０００９】
これらの場合、蓄光材は、電灯または太陽光などの光エネルギを吸収して光の照射を受けなくなった後においても発光する物質（例えば、アルミン酸塩化合物）である。また、蛍光材は、光を受けている間のみ受けた光エネルギよりも長い波長で再度放出する物質である。反射材は、どのような方向および角度から入射した光も光源に向かってそのまま反射する物質である。
【００１０】
このように構成した本発明の特徴によれば、三面水路を構成する底面および２つの側壁のうちの少なくとも１つの表面に三面水路の長手方向に沿って連続的または断続的に蓄光材、蛍光材および反射材のうちの少なくとも１つで構成された光輝部が形成されているため、夕方または夜間に三面水路の近くにいる者に対して三面水路の存在を容易に認識させて転落を抑制する効果を経済的な構成で実現することができる。
【００１１】
また、このように構成した本発明の特徴によれば、三面水路は、光輝部が互いに隣接する２つのフリューム間の連結部分に形成されているため、光輝部を容易に設置することができる。
【００１２】
また、このように構成した本発明の特徴によれば、三面水路は、光輝部が底面および／または２つの側壁を構成するコンクリートのＰコン穴に形成されているため、光輝部を容易に設置することができる。ここで、Ｐコン穴とは、コンクリートを流し込む型枠の間隔を保つために互いに対向する２つの型枠間に架設される棒状のセパレータの両端に付けられるプラスチックコーンの跡であり、台形円錐状に形成されている。
【００１３】
また、このように構成した本発明の特徴によれば、三面水路は、光輝部が蓄光材、蛍光材および反射材のうちの少なくとも１つを含んだシーリング材であるため、コンクリートにおける継ぎ目またはＰコン穴へのシーリング作業と同時に光輝部を形成することができる。また、光輝部は、シーリング材の表面を削ることによって発光または反射する部分を簡単に復活させることもできる。
【００１４】
また、本発明の他の特徴は、前記三面水路において、光輝部は、２つの側壁のうちの少なくとも一方の側壁に水面を跨るように上下方向に延びて形成されていることにある。
【００１５】
このように構成した本発明の他の特徴によれば、三面水路は、光輝部が２つの側壁のうちの少なくとも一方の側壁に水面を跨るように上下方向に延びて形成されているため、光輝部が発する光が水面付近で乱反射することで三面水路の近くにいる者に水面の存在を容易に認識させることができる。
【００１６】
また、本発明の他の特徴は、前記三面水路において、光輝部は、三面水路内における水中となる部分に形成されていることにある。
【００１７】
このように構成した本発明の他の特徴によれば、三面水路は、光輝部が三面水路内における水中となる部分に形成されているため、水面の揺らぎによって光輝部の視認性を向上させることができる。
【００１８】
また、本発明の他の特徴は、前記三面水路において、光輝部は、表面に対して凹状に窪んで形成されていることにある。
【００１９】
このように構成した本発明の他の特徴によれば、三面水路は、底面および／または側壁の表面に対して凹状に窪んで形成されているため、周囲に存在する物（砂埃、石、流木、人の足など）が接触することで光輝部が損傷することを抑制することができる。
【００２０】
また、本発明の他の特徴は、前記三面水路において、光輝部は、２つの側壁のうちの少なくとも一方の側壁における水面より上方部分が同側壁よりも突出して形成されるとともに前記水面よりも下方部分が同側壁と面一または凹状に窪んで形成されていることにある。
【００２１】
このように構成した本発明の他の特徴によれば、三面水路は、光輝部における水面より上方部分が同側壁よりも突出して形成されるとともに水面よりも下方部分が同側壁と面一または凹状に窪んで形成されているため、水中における光輝部の損傷を抑えつつ水面より上方部分の視認性を高めることができる。
【００２２】
また、本発明は、三面水路の発明として実施できるばかりでなく、三面水路の形成方法または三面水路の補修方法としても実施できるものである。
【００２３】
具体的には、三面水路の形成方法は、予め断面形状がＵ字状またはＬ字状に形成された複数のフリュームを縦列に連結することで断面形状がＵ字状に形成された三面水路の形成方法であって、互いに隣接する２つのフリューム間の連結部分に蓄光材、蛍光材および反射材のうちの少なくとも１つを含んだシーリング材を詰める工程を含むとよい。これによれば、三面水路の形成方法は、上記三面水路と同様の作用効果を期待することができる。
【００２４】
また、三面水路の補修方法は、予め断面形状がＵ字状またはＬ字状に形成された複数のフリュームを縦列に連結することで断面形状がＵ字状に形成された三面水路の補修方法であって、互いに隣接する２つのフリューム間の連結部分に形成された目地材を除去する工程と、除去された連結部分に蓄光材、蛍光材および反射材のうちの少なくとも１つを含んだシーリング材を詰める工程とを含むとよい。これによれば、三面水路の補修方法は、上記三面水路と同様の作用効果を期待することができる。
【図面の簡単な説明】
【００２５】
【図１】本発明に係る三面水路の構造の概略を示す破断斜視図である。
【図２】図１に示す三面水路を構成する２つの左側壁の連結部分を示す一部拡大断面図である。
【図３】図１に示した三面水路を施工する工程を示す工程フローチャートである。
【図４】図２に示すフリューム間において流動体状の止水部を成形する作業の様子を示す説明図である。
【図５】本発明の変形例に係る三面水路の構造の概略を示す破断斜視図である。
【図６】本発明の他の変形例に係る三面水路を構成する２つの左側壁の連結部分を示す一部拡大断面図である。
【図７】本発明の他の変形例に係る三面水路の一部の断面を示す一部拡大断面図である。
【図８】本発明の他の変形例に係る三面水路の構造の概略を示す破断斜視図である。
【発明を実施するための形態】
【００２６】
以下、本発明に係る三面水路の一実施形態について図面を参照しながら説明する。図１は、本発明に係る三面水路１００の構成の概略を示す破断斜視図である。また、図２は、図１に示す三面水路１００における左側壁１０３の一部拡大断面図である。なお、本明細書において参照する各図は、本発明の理解を容易にするために一部の構成要素を誇張して表わすなど模式的に表している。このため、各構成要素間の寸法や比率などは異なっていることがある。この三面水路１００は、農業に用いる水Ｗを流す農業用の用水路である。
【００２７】
（三面水路１００の構成）
三面水路１００は、複数のフリューム１０１によって構成されている。フリューム１０１は、三面水路１００における底部１０２、左側壁１０３および右側壁１０４をそれぞれ構成する部品である。本実施形態においては、フリューム１０１は、コンクリートによって底部１０２、左側壁１０３および右側壁１０４が一体的に形成されている。
【００２８】
底部１０２は、三面水路１００を流れる水Ｗを下方から支持する部分であり、水Ｗが流れる方向に延びる板状に形成されている。この場合、本実施形態においては、底部１０２において水Ｗが流れる上面である底面１０２ａが平坦面で形成されているが、平坦面以外の形状、例えば、凹凸を有して形成されていてもよい。
【００２９】
左側壁１０３および右側壁１０４は、三面水路１００を流れる水Ｗを左右の側方から支持する部分であり、底部１０２における三面水路１００の幅方向の両端部からそれぞれ上方に起立した壁状に形成されている。この場合、左側壁１０３および右側壁１０４は、三面水路１００を流れる水Ｗの高さ（つまり、水嵩）以上の高さに形成されている。また、左側壁１０３および右側壁１０４は、フリューム１０１の上部を残して他の主要部が地中に埋設されているため、上部が地表Ｇ上に露出している。
【００３０】
このフリューム１０１は、三面水路１００内の水Ｗの流れる方向に所定の長さに形成されており、複数のフリューム１０１が縦列に連結されることで三面水路１００の全体を構成している。この場合、互いに隣接する２つのフリューム１０１の間の連結部分には、止水部１０５、光輝部１１０および支持部１２０がそれぞれ形成されている。
【００３１】
止水部１０５は、互いに隣接する２つのフリューム１０１の間の連結部分からの水Ｗの漏れを防止するための部品であり、シーリング材（コーキング材ともいう）で構成されている。本実施形態においては、止水部１０５は、蓄光顔料を含有したシリコーン系のシーリング材で構成されている。この場合、止水部１０５は、図２に示すように、互いに隣接する２つのフリューム１０１の表面に対して奥側に形成されることで同表面に対して凹状に窪んだ状態で形成されている。
【００３２】
これにより、止水部１０５は、互いに隣接する２つのフリューム１０１の間で外部に露出する部分が夜間に発光する。すなわち、止水部１０５における前記外部に露出して発光する部分が光輝部１１０である。なお、図２は、左側壁１０３における断面を示しているが、右側壁１０４および底部１０２においても同様である。
【００３３】
本実施形態においては、光輝部１１０は、底面光輝部１１１、側壁内側光輝部１１２、側壁上面光輝部１１３および側壁外側光輝部１１４で構成されている。底面光輝部１１１は、三面水路１００の底面１０２ａに露出して形成されている。本実施形態においては、底面光輝部１１１は、三面水路１００の幅方向に直線状に延びて形成されている。
【００３４】
側壁内側光輝部１１２は、三面水路１００の左側壁１０３および右側壁１０４における各内側面にそれぞれ露出して形成されている。本実施形態においては、側壁内側光輝部１１２は、左側壁１０３および右側壁１０４の各上端部から各下端部まで直線状に延びてそれぞれ形成されている。なお、図１においては、右側壁１０４に形成された側壁内側光輝部１１２は右側壁１０４自身によって隠れて見えていない。
【００３５】
側壁上面光輝部１１３は、三面水路１００の左側壁１０３および右側壁１０４における各上面にそれぞれ露出して形成されている。本実施形態においては、側壁上面光輝部１１３は、左側壁１０３および右側壁１０４の上面に厚さ方向に直線状に延びて形成されている。
【００３６】
側壁外側光輝部１１４は、三面水路１００の左側壁１０３および右側壁１０４における各外側面にそれぞれ露出して形成されている。本実施形態においては、側壁外側光輝部１１４は、左側壁１０３および右側壁１０４の各上端部から各下端部まで直線状に延びてそれぞれ形成されている。この場合、側壁外側光輝部１１４は、左側壁１０３および右側壁１０４の各上部のみが地表Ｇから露出しているため、側壁外側光輝部１１４のみが地表Ｇから露出している。
【００３７】
支持部１２０は、止水部１０５を内側から支持する部分であり、硬質のウレタン発泡体で構成されている。この支持部１２０は、止水部１０５の内側に止水部１０５の背面に沿って設けられており、止水部１０５の形成時に止水部１０５を構成するシーリング材が過度に奥側に注入されることを防止している。
【００３８】
（三面水路１００の施工）
次に、このように構成された三面水路１００の施工について図３を参照しながら説明する。まず、作業者は、第１工程として、フリューム１０１を用意する。この場合、フリューム１０１は、型枠（図示せず）にコンクリートを流し込んで成形されたものが種々の大きさおよび形状で市販されている。したがって、作業者は、構築する三面水路１００の仕様に応じて適切な大きさ、形状および数のフリューム１０１を入手する。
【００３９】
次に、作業者は、第２工程として、下穴を掘る。具体的には、作業者は、バックホーなどの建機を用いて三面水路１００を形成する場所にフリューム１０１を設置する溝状の穴を掘る。この場合、作業者は、溝状に掘って形成した下穴の底部に砕石（図示せず）を敷く、またはコンクリートを板状に打設してフリューム１０１を設置する土台を形成する。
【００４０】
次に、作業者は、第３工程として、フリューム１０１を設置する。具体的には、作業者は、溝状に掘って形成した下穴上にクレーンなどの建機を用いてフリューム１０１を溝状に延びる下穴に沿って縦列に配置する。この場合、作業者は、互いに隣接する２つのフリューム１０１とフリューム１０１との間に止水部１０５を形成する隙間を介してフリューム１０１を配置する。
【００４１】
次に、作業者は、第４工程として、支持部１２０を形成する。具体的には、作業者は、硬質ウレタン発泡体を互いに隣接する２つのフリューム１０１とフリューム１０１との間に設置する。この場合、作業者は、止水部１０５の形成を考慮して硬質ウレタン発泡体で構成された支持部１２０を２つのフリューム１０１とフリューム１０１との間における奥側に詰める。
【００４２】
なお、硬質ウレタン発泡体とは、種々のものを用いることができるが、本実施形態においては、ＮＣＯ（イソシアネート）基を２個以上有するポリイソシアネートとＯＨ（ヒドロキシル）基を２個以上有するポリオールとを、触媒（例えば、アミン化合物など）、発泡剤（例えば、水やフルオロカーボンなど等）および整泡剤（例えば、シリコーンオイル）などと混合して泡化反応と樹脂化反応とを同時に行わせることによって得られる均質なプラスチック発泡体である。この場合、硬質ウレタン発泡体は、断面形状が円形（だ円形を含む）または方形に形成された棒状のほか、薄板状に形成されている。また、本願発明における硬質ウレタン発泡体は、圧縮強さ（１０％圧縮）が少なくとも２．０ｋｇｆ／ｃｍ2以上が好ましい。なお、支持部１２０は、液体状の硬質ウレタン発泡体を２つのフリューム１０１とフリューム１０１との間における奥側に注入して配置することもできる。
【００４３】
次に、作業者は、第５工程として、止水部１０５および光輝部１１０をそれぞれ形成する。具体的には、作業者は、蓄光顔料を含んだシーリング材を互いに隣接する２つのフリューム１０１とフリューム１０１との間に注入する。ここで、蓄光顔料は、アルミン酸カルシウムまたはアルミン酸ストロンチウムなどの公知の蓄光材を含んで構成されている。
【００４４】
この第５工程においては、作業者は、図４に示すように、互いに隣接する２つのフリューム１０１間に注入したシーリング材に対して板状のヘラＨを用いて奥側に押すことでシーリング材の表面を２つのフリューム１０１の各表面よりも内側に位置させて凹状に凹ませて形成することができる。この場合、作業者は、シーリング材の表面がフリューム１０１の表面に対して１ｍｍ以上かつ５ｍｍ以下の範囲で窪んだ位置に形成されるように調整するとよい。これらにより、シーリング材が硬化することで止水部１０５が形成されるとともに、この止水部１０５の表面に光輝部１１０がフリューム１０１の表面よりも１ｍｍ以上かつ５ｍｍ以下の範囲で内側に凹んだ状態で形成される。
【００４５】
次に、作業者は、第６工程として、フリューム１０１を埋め戻す。具体的には、
バックホーなどの建機を用いて三面水路１００を形成する場所にフリューム１０１を設置する溝状の穴を掘る。この場合、作業者は、縦列に繋がったフリューム１０１における左側壁１０３および右側壁１０４の各外側に土を入れる。この場合、作業者は、本実施形態においては、左側壁１０３および右側壁１０４の各外側面を完全に埋めずに各上部部分が露出する程度に埋める。これにより、作業者は、上方が開口した開渠構造の三面水路１００の構築することができる。
【００４６】
（三面水路１００の作動）
次に、このように構成した三面水路１００の作動について説明する。この三面水路１００は、日中に光輝部１１０が太陽光などから吸収した光エネルギを用いて夜間に発光する。この場合、三面水路１００は、光輝部１１０を構成する底面光輝部１１１、側壁内側光輝部１１２、側壁上面光輝部１１３および側壁外側光輝部１１４がそれぞれ発光する。これより、夜間に三面水路１００の近くを徒歩または二輪車で通る通行人は、光輝部１１０の発光によって三面水路１００の存在を認識することができる。
【００４７】
この場合、底面光輝部１１１は、三面水路１００内の水Ｗの透明度が高い場合、水Ｗの水深が浅い場合、または水Ｗが一時的に枯れている場合において通行人に対して三面水路１００の存在を認識させることができる。この場合、三面水路１００における水中に形成された光輝部１１０は、水面の揺らぎによって通行人に対する視認性を高めることができる。また、側壁内側光輝部１１２は、左側壁１０３および右側壁１０４の最低部から最高部に亘って形成されているため、水Ｗの水面の位置を含めて三面水路１００の存在を通行人に認識させることができる。
【００４８】
また、側壁上面光輝部１１３は、左側壁１０３および右側壁１０４の各上面に形成されているため、三面水路１００の川幅を含めて三面水路１００の存在を通行人に認識させることができる。また、側壁外側光輝部１１４は、左側壁１０３および右側壁１０４の各外側面の各上部部分が発光しているため、三面水路１００の周囲の地面に対する段差の量を含めて三面水路１００の存在を通行人に認識させることができる。
【００４９】
次に、三面水路１００のメンテナンスについて説明する。光輝部１１０が汚損、損傷または劣化した場合には、メンテナンスを行う作業者は、光輝部１１０の表面を布またはサンドペーパなどを用いて拭くまたは磨くことで汚損、損傷または劣化した部分を除去して新たな表面を露出させることができる。これにより、作業者は、光輝部１１０の発光能力を再生することができる。
【００５０】
また、作業者は、光輝部１１０を含めて止水部１０５の損傷または劣化が激しい場合には、止水部１０５を新設することもできる。具体的には、作業者は、まず、既設の止水部１０５をカッターなどの工具を用いて除去する。この場合、作業者は、支持部１２０の損傷または劣化が激しい場合には、支持部１２０も併せて除去することができる。
【００５１】
次に、作業者は、前記した第５工程と同様に、止水部１０５および光輝部１１０をそれぞれ形成する。この場合、作業者は、支持部１２０も併せて除去していた場合には、前記した第４工程と同様に、支持部１２０を形成した後に、止水部１０５および光輝部１１０をそれぞれ形成する。これにより、作業者は、既設の三面水路１００にける光輝部１１０を再生することができる。なお、この光輝部１１０の再生は、光輝部１１０を有さない既存の三面水路に対しても行えるものである。
【００５２】
上記作動説明からも理解できるように、上記実施形態によれば、三面水路１００は、三面水路１００を構成する底面１０２ａ、左側壁１０３および右側壁１０４の各表面に三面水路１００の長手方向に沿って断続的に蓄光材で構成された光輝部１１０が形成されているため、夕方または夜間に三面水路１００の近くいる者に対して三面水路１００の存在を容易に認識させて転落を抑制する効果を経済的な構成で実現することができる。
【００５３】
さらに、本発明の実施にあたっては、上記各実施形態に限定されるものではなく、本発明の目的を逸脱しない限りにおいて種々の変更が可能である。なお、下記各変形例において、上記実施形態と同様の構成部分については同じ符号を付して、その説明を省略する。
【００５４】
例えば、上記実施形態においては、光輝部１１０は、底部１０２、左側壁１０３および右側壁１０４にそれぞれ形成した。しかし、光輝部１１０は、底部１０２、左側壁１０３および右側壁１０４のうちの少なくとも１つに形成すればよい。この場合、光輝部１１０は、互いに対向する側壁内側光輝部１１２および底面光輝部１１１によって断面形状がＵ字状に連続的または断続的に形成されることで三面水路１００の形状を把握させ易くすることができる。
【００５５】
また、上記実施形態においては、光輝部１１０は、底部１０２、左側壁１０３および右側壁１０４において連続的に延びる直線状に形成した。しかし、光輝部１１０は、連続的に延びる曲線状に形成してもよいし、断続的に延びる直線状または曲線状に形成することもできる。また、光輝部１１０は、図５に示すように、三面水路１００における幅方向に代えてまたは加えて長手方向（水Ｗが流れる方向）に沿って連続的または断続的に形成することができる。
【００５６】
また、上記実施形態においては、光輝部１１０は、左側壁１０３および右側壁１０４における下端部から上端部まで形成した。しかし、光輝部１１０は、左側壁１０３および右側壁１０４における下部部分のみ、中間部のみ、または上部部分のみに形成することもできる。この場合、光輝部１１０は、水Ｗの水面を跨るように上下方向に延びて形成してもよいし、水面よりも完全に上方に形成することもできる。さらに、光輝部１１０は、上記実施形態のように三面水路１００における水中に水没する部分を含んで形成するほか、または水没する部分にのみ形成することもできる。また、光輝部１１０は、三面水路１００における水面から上の部分にのみ形成することもできる。
【００５７】
また、上記実施形態においては、光輝部１１０は、底部１０２、左側壁１０３および右側壁１０４の各表面に対して凹状に窪んで形成されている。これにより、光輝部１１０は、周囲に存在する物、例えば、砂埃、石、流木、人の足などが接触することを抑制して光輝部１１０が損傷することを抑制することができる。なお、この場合、水Ｗ内の光輝部１１０においても、流れる水自体または水中内の異物との間の摩擦が抑えられることで光輝部１１０が損傷することを抑制することができる。
【００５８】
しかしながら、光輝部１１０は、底部１０２、左側壁１０３および右側壁１０４の各表面に対して面一、またはこれらの各表面に対して凸状に突出して形成することもできる。これによれば、光輝部１１０は、視認性を向上させることができる。この場合、光輝部１１０は、図６に示すように、凸状の円弧状に膨らんで形成することで光輝部１１０を中心とする放射方向に光を放つことができ広範囲な視認性を向上させることができる。また、円弧状の光輝部１１０を水中に形成した場合には、水Ｗから受ける抵抗を少なくすることもできる。また、光輝部１１０は、左側壁１０３および右側壁１０４の各表面に対して１ｍｍ以上かつ５ｍｍ以下の範囲で突出しているとよい。
【００５９】
また、光輝部１１０は、図７に示すように、左側壁１０３および右側壁１０４のうちの少なくとも一方の側壁における水面より上方部分が同側壁よりも突出して形成されるとともに水面よりも下方部分が同側壁と面一または凹状に窪んで形成することもできる。これによれば、光輝部１１０は、水中における光輝部１１０の損傷を抑えつつ水面より上方部分の視認性を高めることができる。この場合、光輝部１１０は、左側壁１０３の下端部側から上端部側に向かって連続的に突出する傾斜面で構成することもできる。なお、光輝部１１０は、左側壁１０３および右側壁１０４のうちの少なくとも一方の側壁における水面より上方部分が同側壁と面一に形成されるとともに水面よりも下方部分が同側壁と面一または凹状に窪んで形成することもできる。また、光輝部１１０は、側壁における水面より下方部分が同側壁よりも突出して形成されるとともに水面よりも上方部分が同側壁と面一または凹状に窪んで形成することもできる。
【００６０】
また、上記実施形態においては、光輝部１１０は、互いに隣接する２つのフリューム１０１の連結部分に形成した。これにより、作業者は、光輝部１１０を容易に設置することができる。しかし、光輝部１１０は、互いに隣接する２つのフリューム１０１の連結部分以外の部分、例えば、底部１０２、左側壁１０３および右側壁１０４の表面自体に形成することができる。
【００６１】
また、光輝部１１０は、図８に示すように、フリューム１０１などのコンクリート製の三面水路におけるＰコン穴１１５内に形成することもできる。ここで、Ｐコン穴１１５とは、コンクリートを流し込む型枠の間隔を保つために互いに対向する２つの型枠間に架設される棒状のセパレータの両端に付けられるプラスチックコーンの跡であり、台形円錐状に形成されている。
【００６２】
また、上記実施形態においては、光輝部１１０は、蓄光材を含むシーリング材で構成した。しかし、光輝部１１０は、蓄光材、蛍光材および反射材のうちの少なくとも１つを含んだシーリング材で構成することができる。この場合、反射材としては、ラメフレークまたはメタリックパウダーなど用いることができる。
【００６３】
また、光輝部１１０は、シーリング材以外の物質で構成することもできる。例えば、光輝部１１０は、蓄光材、蛍光材および反射材のうちの少なくとも１つを含んだ塗料で構成することができる。この場合、作業者は、塗料を塗るまたは吹き付けることによって光輝部１１０を形成することができる。また、光輝部１１０は、蓄光材、蛍光材および反射材のうちの少なくとも１つを含んだ流動体状の樹脂材（熱硬化性樹脂または熱可塑性樹脂）を止水部１０５またはフリューム１０１に塗布して硬化させて構成することもできる。また、また、光輝部１１０は、蓄光材、蛍光材および反射材のうちの少なくとも１つを含んだ板状またはブロック状の樹脂材で構成して、止水部１０５またはフリューム１０１に接着剤、ボルトまたはリベットなどで貼り付けて構成することもできる。
【００６４】
また、上記実施形態においては、三面水路１００は、断面形状がＵ字状のフリューム１０１で構成した。しかし、三面水路１００は、断面形状がＬ字状のフリュームで構成することもできる。また、三面水路１００は、コンクリート製以外のフリューム、具体的には、樹脂製のフリュームを用いることもできる。また、三面水路１００は、三面水路１００の施工現場で三面水路１００の形状に直接コンクリートを打設して形成することもできる。この場合、光輝部１１０は、コンクリートの表面に直接形成してもよいが、伸縮吸収用の目地材に形成することもできる。
【００６５】
また、上記実施形態においては、三面水路１００は、支持部１２０を設けて構成した。しかし、三面水路１００は、支持部１２０を省略して構成することもできる。
【符号の説明】
【００６６】
Ｗ…水、Ｇ…地表、Ｈ…ヘラ、
１００…三面水路、１０１…フリューム、１０２…底部、１０２ａ…底面、１０３…左側壁、１０４…右側壁、１０５…止水部、
１１０…光輝部、１１１…底面光輝部、１１２…側壁内側光輝部、１１３…側壁上面光輝部、１１４…側壁外側光輝部、１１５…Ｐコン穴、
１２０…支持部。
【要約】
【課題】多くの三面水路に経済的に設置することができ特に夜間における転落防止効果を有した三面水路を提供する。
【解決手段】三面水路１００は、複数のフリューム１０１を縦列方向に連結して構成されている。フリューム１０１は、底部１０２、左側壁１０３および右側壁１０４を有して断面形状がＵ字状に形成されている。互いに隣接する２つのフリューム１０１間には、止水部１０５が設けられている。止水部１０５は、蓄光材を含むシーリング材で構成されている。これにより、互いに隣接する２つのフリューム１０１間で露出する止水部１０５によって光輝部１１０が形成されている。この場合、光輝部１１０は、互いに隣接する２つのフリューム１０１の各表面から凹状に窪んだ位置に形成されている。光輝部１１０は、底面光輝部１１１、側壁内側光輝部１１２、側壁上面光輝部１１３および側壁外側光輝部１１４で構成されている。
【選択図】  図１【図１】
0006861958.tif 000002
【図２】
0006861958.tif 000003
【図３】
0006861958.tif 000004
【図４】
0006861958.tif 000005
【図５】
0006861958.tif 000006
【図６】
0006861958.tif 000007
【図７】
0006861958.tif 000008
【図８】
0006861958.tif 000009